(57)【要約】【課題】  第１、第２ケースの開閉動作に連動して電源をオン・オフできると共に、第１、第２ケースを開いた状態でも閉じた状態でも電源スイッチが外部に露出せず、省スペース化が図れるようにする。【解決手段】  第１ケース１と第２ケース２とを回動可能に連結するヒンジ部３の内部にチルト機構１３を設け、このチルト機構１３に、第１、第２ケース１、２が所定角度以上に開いたときにスイッチ信号を出力する回転式スイッチ１４を設けた。従って、第１、第２ケース１、２の開閉動作に連動して電源をオン・オフすることができると共に、第１、第２ケース１、２を開いた状態でも閉じた状態でも、回転式スイッチ１４が外部に露出することがないので、回転式スイッチ１４の誤操作の恐れがない。また、回転式スイッチ１４が第１、第２ケース１、２内に占める設置スペースがほとんどないので、第１、第２ケース１、２内における省スペース化をも図ることができる。【選択図】        図３
2006099366.tif 000002
【特許請求の範囲】
【請求項１】
第１ケースと第２ケースとをヒンジ部によって回動可能に連結し、このヒンジ部を中心に前記第１、第２ケースが回動して開閉する電子機器において、
前記ヒンジ部の内部に、前記第１、第２ケースが所定角度以上に開いたときにスイッチ信号を出力する電源スイッチを設けたことを特徴とする電子機器。
【請求項２】
前記電源スイッチは、前記第１、第２ケースの開閉動作に伴って前記第１、第２ケースの一方のヒンジ部側と共に回転する回転体と、前記第１、第２ケースが所定角度以上に開いたときに前記回転体の回転角度によってスイッチ信号を出力するスイッチ接点部とを有する回転式スイッチであることを特徴する請求項１に記載の電子機器。
【請求項３】
前記ヒンジ部の内部には、前記第１、第２ケースを任意の角度に開いた状態で保持するチルト機構が設けられ、前記回転スイッチは前記チルト機構に設けられていることを特徴する請求項２に記載の電子機器。
【請求項４】
前記電源スイッチは、前記第１、第２ケースの開閉動作に伴って前記第１、第２ケースの一方のヒンジ部側と共に回転移動する突起部と、前記第１、第２ケースが所定角度以上に開いたときに前記突起部の押圧操作によってスイッチ信号を出力するスイッチ接点部とを有する押圧式スイッチであることを特徴とする請求項１に記載の電子機器。
【請求項５】
前記第１、第２ケースが前記ヒンジ部を中心に回動して閉じたときに前記電源スイッチから出力されたスイッチ信号に基づいて電源をオフ制御し、前記第１、第２ケースが所定角度以上に開いたときに前記電源スイッチから出力されたスイッチ信号に基づいて電源をオン制御する制御部を備えていることを特徴する請求項１〜４のいずれかに記載の電子機器。
【発明の詳細な説明】
【技術分野】
【０００１】
この発明は、電子辞書、携帯電話機、ＰＤＡ（パーソナル・デジタル・アシスタント）などの携帯型の電子機器に関する。
【背景技術】
【０００２】
例えば、携帯電話機などの電子機器においては、操作性を向上させるために、電話機本体に開閉蓋を開閉自在に取り付け、この開閉蓋に対向する電話機本体の対向面にフックスイッチを設けると共に、電話機本体に対向する開閉蓋の対向面に操作部をフックスイッチに対応させて設けることにより、開閉蓋の開閉動作に応じて操作部がフックスイッチをオン・オフするように構成したものがある。この場合、操作部は、開閉蓋に固定された固定部と、この固定部内に出没可能に設けられた可動部と、この可動部を固定部内から押し出す方向に付勢する付勢部材とで構成されている。
【特許文献１】特開平０９−００８６９１号公報
【発明の開示】
【発明が解決しようとする課題】
【０００３】
しかしながら、このような従来の電子機器では、電話機本体と開閉蓋との各対向面にフックスイッチと操作部とを互いに対向させて設けた構造であるから、使用するときに開閉蓋を開くと、電話機本体のフックスイッチと開閉蓋の操作部とが露出することになり、このためフックスイッチを誤って操作してまう恐れがあるばかりか、操作部が付勢部材によって可動部を固定部から押し出す方向に付勢する構成であるから、開閉蓋を開いた状態では、可動部が開閉蓋の対向面から常に突出することになり、このため使用時に操作部の可動部が邪魔になるばかりか、操作部を破損しやすいなどの問題がある。
【０００４】
また、このような電子機器では、フックスイッチと操作部とを電話機本体と開閉蓋との各対向面に設けるための設置スペースが必要になり、このためフックスイッチと操作部との各設置スペースによって電話機本体と開閉蓋とにそれぞれ組み込まれる電子部品の設置スペースが制約を受けるという問題もある。特に、開閉蓋を閉じたときに、開閉蓋が電話機本体に接触するのを防ぐためのストッパ部材を別に設ける必要もあり、このため、より一層、電話機本体と開閉蓋とに組み込まれる電子部品が制約を受ける。
【０００５】
なお、従来の携帯電話機などの電子機器には、ホール素子を用いて開閉蓋の開閉に応じてオンフック・オフフック制御を行うように構成したものもある。しかし、このようなスイッチ構造を用いた電子機器では、磁気を利用しているため、磁力の調整が必要となり、組み立て作業が面倒で、コストも高くなるばかりか、開閉蓋を開いて使用しているときに、誤って磁石などの磁性体をホール素子に近づけると、誤動作をするとうい問題があるほか、ホール素子を電話機本体の内部または開閉蓋の内部に設けなければならないため、設置スペースの問題もある。
【０００６】
この発明が解決しようとする課題は、第１、第２ケースの開閉動作に連動して電源をオン・オフすることができると共に、第１、第２ケースを開いた状態でも閉じた状態でも、電源スイッチが外部に露出せず、電源スイッチの誤動作を防ぐことができると共に、省スペース化をも図ることができる電子機器を提供することである。
【課題を解決するための手段】
【０００７】
この発明は、上記課題を解決するために、次のような構成要素を備えている。
なお、各構成要素には、後述する各実施形態の項で説明される各要素に付されている図面の参照番号などを括弧と共に付す。
【０００８】
請求項１に記載の発明は、図１〜図１３に示すように、第１ケース（１）と第２ケース（２）とをヒンジ部（３）によって回動可能に連結し、このヒンジ部を中心に前記第１、第２ケースが回動して開閉する電子機器において、前記ヒンジ部の内部に、前記第１、第２ケースが所定角度以上に開いたときにスイッチ信号を出力する電源スイッチ（回転式スイッチ１４、または押圧式スイッチ３０）を設けたことを特徴とする電子機器である。
【０００９】
請求項２に記載の発明は、図１〜図１０に示すように、前記電源スイッチが、前記第１、第２ケース（１、２）の開閉動作に伴って前記第１、第２ケースの一方のヒンジ部側（例えば、第２ヒンジ筒部１１）と共に回転する回転体（１７）と、前記第１、第２ケースが所定角度以上に開いたときに前記回転体の回転角度によってスイッチ信号を出力するスイッチ接点部（１８）とを有する回転式スイッチ（１４）であることを特徴する請求項１に記載の電子機器である。
【００１０】
請求項３に記載の発明は、図１〜図７に示すように、前記ヒンジ部（３）の内部に、前記第１、第２ケース（１、２）を任意の角度に開いた状態で保持するチルト機構（１３）が設けられ、前記回転スイッチ（１４）が前記チルト機構に設けられていることを特徴する請求項２に記載の電子機器である。
【００１１】
請求項４に記載の発明は、図１１〜図１３に示すように、前記電源スイッチが、前記第１、第２ケース（１、２）の開閉動作に伴って前記第１、第２ケースの一方のヒンジ部側（例えば、第１ヒンジ筒部１０）と共に回転移動する突起部（３１）と、前記第１、第２ケースが所定角度以上に開いたときに前記突起部の押圧操作によってスイッチ信号を出力するスイッチ接点部（３２）とを有する押圧式スイッチ（３０）であることを特徴とする請求項１に記載の電子機器である。
【００１２】
請求項５に記載の発明は、図１〜図１３に示すように、前記第１、第２ケース（１、２）が前記ヒンジ部（３）を中心に回動して閉じたときに前記電源スイッチ（回転式スイッチ１４、または押圧式スイッチ３０）から出力されたスイッチ信号に基づいて電源（電源回路２６）をオフ制御し、前記第１、第２ケースが所定角度以上に開いたときに前記電源スイッチから出力されたスイッチ信号に基づいて電源をオン制御する制御部（ＣＰＵ２５）を備えていることを特徴する請求項１〜４のいずれかに記載の電子機器である。
【発明の効果】
【００１３】
請求項１に記載の発明によれば、第１ケースと第２ケースとを回動可能に連結するヒンジ部の内部に、第１、第２ケースが所定角度以上に開いたときにスイッチ信号を出力する電源スイッチを設けたので、第１、第２ケースを所定角度以上に開閉すると、電源スイッチから出力されたスイッチ信号によって電源をオン・オフすることができると共に、電源スイッチをヒンジ部内に設けたことにより、第１、第２ケースを開いた状態でも、また閉じた状態でも、電源スイッチが外部に露出することがない。このため、電源スイッチを誤って操作する恐れがなく、また電源スイッチが第１、第２ケース内に占める設置スペースがほとんどないので、省スペース化を図ることができると共に、第１、第２ケース内にそれぞれ組み込まれる電子部品が電源スイッチによって制約を受けることもないので、第１、第２ケースの実装密度を高めることができる。
【００１４】
請求項２に記載の発明によれば、電源スイッチが、第１、第２ケースの開閉動作に伴って第１、第２ケースの一方のヒンジ部側と共に回転する回転体と、第１、第２ケースが所定角度以上に開いたときに回転体の回転角度によってスイッチ信号を出力するスイッチ接点部とを有する回転式スイッチであることにより、請求項１に記載の発明と同様の作用効果があるほか、特に第１、第２ケースの一方のヒンジ部側に回転体を設け、第１、第２ケースの他方のヒンジ部側にスイッチ接点部を設けるだけで良いので、回転体の取付作業およびスイッチ接点部の接続作業が容易にできると共に、構造も簡単で、部品点数も少ないので、生産性が良く、低価格なものを得ることができる。
【００１５】
請求項３に記載の発明によれば、ヒンジ部の内部に、第１、第２ケースを任意の角度に開いた状態で保持するチルト機構が設けられているので、第１、第２ケースを開閉する際、チルト機構によって第１、第２ケースを任意の角度に開いた状態で保持することができ、これにより使い勝手の良いものを得ることができるほか、特にこのチルト機構に回転式スイッチを設けているので、第１、第２ケースにチルト機構を設けるときに、回転式スイッチも同時に組み込むことができ、これによっても組み立て作業性の良いものを得ることができる。
【００１６】
請求項４に記載の発明によれば、電源スイッチが、第１、第２ケースの開閉動作に伴って第１、第２ケースの一方のヒンジ部側と共に回転移動する突起部と、第１、第２ケースが所定角度以上に開いたときに突起部の押圧操作によってスイッチ信号を出力するスイッチ接点部とを有する押圧式スイッチであることより、請求項１に記載の発明と同様の作用効果があるほか、特に突起部が設けられたヒンジ部と反対側のヒンジ部側にスイッチ接点部を設けるだけで良く、しかもスイッチ接点部を固定接点板と可動接点板とで構成することにより、請求項２に記載の発明と同様、構造が簡単で、部品点数も少なく、組み立て作業も容易にできるので、生産性が良く、低価格なものを得ることができる。
【００１７】
請求項５に記載の発明によれば、第１、第２ケースを閉じたときに電源スイッチから出力されたスイッチ信号に基づいて電源をオフ制御し、第１、第２ケースを所定角度以上に開いたときに電源スイッチから出力されたスイッチ信号に基づいて電源をオン制御する制御部を備えていることにより、第１、第２ケースを所定角度以上に開くと、電源スイッチから出力されたスイッチ信号に基づいて制御部が電源をオン制御して、電源回路を電源オン状態にすることができ、また第１、第２ケースを閉じると、電源スイッチから出力されたスイッチ信号に基づいて制御部が電源をオフ制御するので、使用時のデータを記憶部に保存させた後に電源回路を電源オン状態（スタンバイモード）にすることができ、これにより電源の供給を断つときにデータが破壊されないようにすることができる。
【発明を実施するための最良の形態】
【００１８】
（実施形態１）
以下、図１〜図１０を参照して、この発明の電子機器を電子辞書に適用した実施形態１について説明する。
図１はこの発明の電子辞書を開いて使用する状態を示した斜視図、図２は図１の側面図、図３は図１の電子辞書の内部を示した要部の平面図である。
この電子辞書は、図１および図２に示すように、互いに重なり合う第１ケース１と第２ケース２とを備え、これら第１ケース１と第２ケース２とをヒンジ部３によって回動可能に連結し、このヒンジ部３を中心に第１、第２ケース１、２が相対的に回動して開閉することにより、折り畳み可能な構成になっている。
【００１９】
第１ケース１は、図１に示すように、全体がほぼ長方形の平板状に形成され、第２ケース２に対向する対向面側（図１では上面側）に表示パネル４がその表示面を露出させた状態で設けられた構成になっている。この表示パネル４は、液晶表示素子やＥＬ素子（エレクトロルミネセンス素子）などの平面型の表示素子からなり、図３に示すように、第１ケース１内の表示用の回路基板５に電気的に接続され、この状態で回路基板５に設けられたＬＳＩなどの駆動素子６によって駆動されて、辞書関連の情報や時刻などの各種の情報を電気光学的に表示するように構成されている。
【００２０】
また、第２ケース２は、図１に示すように、第１ケース１とほぼ同じ形状で同じ大きさに形成され、第１ケース１に対向する対向面側（図１では上面側）にキーボード７が設けられた構成になっている。このキーボード７は、図１に示すように、文字キー、カーソルキー、機能キー、および電源キー８ａなどの電子辞書に必要な各種のキー８を備え、図３に示すように、第２ケース２内に配置されたキーボード用の回路基板９に電気的に接続され、この状態で各キー８のキー操作に応じて情報を入力するように構成されている。
【００２１】
ヒンジ部３は、図１〜図３に示すように、第１ケース１の一方の長辺部（図１では下側に位置する長辺部）における両側に設けられた円筒形状の一対の第１ヒンジ筒部１０と、これに対向する第２ケース２の長辺部（図１では上側に位置する長辺部）における中間部分に設けられた第２ヒンジ筒部１１とを備え、第１ケース１の両側に位置する一対の第１ヒンジ筒部１０の間に第２ケース２の第２ヒンジ筒部１１を配置させた状態で、第１ヒンジ筒部１０と第２ヒンジ筒部１１とを回動可能に連結した構成になっている。
【００２２】
すなわち、このヒンジ部３は、図示しないが、第１ヒンジ筒部１０の内側端面に小径筒部が突出して設けられ、これに隣接する第２ヒンジ筒部１１の端面に嵌合孔を設け、この第２ヒンジ筒部１１の嵌合孔に第１ヒンジ筒部１０の小径筒部を回転可能に嵌合させることにより、第１ヒンジ筒部１０と第２ヒンジ筒部１１とを回動可能に連結するように構成されている。この場合、ヒンジ部３における両側の第１ヒンジ筒部１０のうち、一方（図３では右側）の第１ヒンジ筒部１０とこれに隣接する第２ヒンジ筒部１１との各内部には、図３に示すように、第１ケース１内の表示用の回路基板５と第２ケース２内のキーボード用の回路基板９とを電気的に接続するためのフレキシブルな配線基板１２が設けられている。
【００２３】
また、ヒンジ部３における他方（図３では左側）の第１ヒンジ筒部１０とこれに隣接する第２ヒンジ筒部１１との各内部には、図３〜図６に示すように、第１、第２ケース１、２を任意の角度に開いた状態で保持するためのチルト機構１３が設けられており、このチルト機構１３には、回転式スイッチ１４が設けられている。チルト機構１３は、第１ケース１内に固定されて第１ヒンジ筒部１０内に配置されたチルト筒部材１５と、第２ケース２内に固定されて第２ヒンジ筒部１１内から第１ヒンジ筒部１０内のチルト筒部材１５内に圧入されるチルト軸部材１６とを備え、チルト筒部材１５の内面にチルト軸部材１６が圧接することにより、その圧接力によって第１、第２ケース１、２を任意の開閉角度に保持するように構成されている。
【００２４】
これにより、この電子辞書は、チルト機構１３の圧接力に抗してヒンジ部３を中心に第１、第２ケース１、２を互いに離れる方向に回動させると、図２に示すように、第１、第２ケース１、２が互いに開いてチルト機構１３の圧接力により任意の角度に保持され、またヒンジ部３を中心に第１、第２ケース１、２を互いに接近する方向に回動させると、第１ケース１の表示パネル４と第２ケース２のキーボード７とが互いに対向して第１、第２ケース１、２が互いに重なり合って閉じるように構成されている。
【００２５】
一方、回転式スイッチ１４は、図６および図７（ａ）に示すように、チルト機構１３のチルト筒部材１５から第１ヒンジ筒部１０内に突出したチルト軸部材１６の端部に取り付けられてチルト軸部材１６と共に回転する回転体１７と、第１、第２ケース１、２が所定角度以上に開いたときに回転体１７の回転角度によってスイッチ信号を出力するスイッチ接点部１８とを備えた構成になっている。この場合、スイッチ接点部１８は、図７（ａ）〜図７（ｃ）に示すように、回転体１７の側面に設けられた可動接点部１９と、回転体１７の側面に接近するチルト筒部材１５の端面に設けられた一対の固定接点部２０とを備え、回転体１７の回転に応じて可動接点部１９が一対の固定接点部２０に接触可能な状態で相対的に回転移動するように構成されている。
【００２６】
すなわち、一対の固定接点部２０は、図７（ｂ）および図７（ｃ）に示すように、チルト筒部材１５の端面に、チルト軸部材１６を中心とする所定長の円弧状、例えばチルト筒部材１５の回転角度の範囲が約９０°の範囲の長さで円弧状に形成され、それぞれ接続線２１によって第１ケース１内に配置された表示用の回路基板５に電気的に接続されている（図３参照）。つまり、一対の固定接点部２０は、第１、第２ケース１、２を閉じた状態から所定角度（例えば、約９０°）に開く範囲において回転体１７がチルト筒部材１５に対し相対的に回転するときに、図７（ｂ）に示すように、可動接点部１９が一対の固定接点部２０に接触した状態で回転移動し、第１、第２ケース１、２を所定角度以上に開いたときに、図７（ｃ）に示すように、可動接点部１９が一対の固定接点部２０から離れた状態で回転移動するように形成されている。
【００２７】
これにより、回転式スイッチ１４は、第１、第２ケース１、２が閉じた状態から所定角度に開くまでの状態のときに、図７（ｂ）に示すように、第２ケース２の第２ヒンジ筒部１１と共に回転する回転体１７の可動接点部１９が第１ケース１の第１ヒンジ筒部１０と共に回動移動する一対の固定接点部２０に接触した状態で相対的に回転移動することにより、導通状態のスイッチ信号を出力し、また第１、第２ケース１、２が所定角度以上に開いた状態のときに、図７（ｃ）に示すように、第２ヒンジ筒部１１と共に回転する回転体１７の可動接点部１９が第１ヒンジ筒部１０と共に回動移動する一対の固定接点部２０から相対的に離れた状態で回転移動することにより、非導通状態のスイッチ信号を出力するように構成されている。
【００２８】
次に、この電子辞書の回路構成について、図８に示すブロック図を参照して説明する。
この図において、２５はＣＰＵ（中央演算処理装置）である。このＣＰＵ２５は回転式スイッチ１４がオン状態、つまり第１、第２ケース１、２が閉じられている状態のときに電源回路２６からの電源の供給を断ち、回転式スイッチ１４がオフ状態、つまり第１、第２ケース１、２が開いている状態のときに電源回路２６から電源を供給可能な状態にし、キーボード７の電源キー８ａがオンされると、電源回路２６から電源を供給し、ＲＯＭ２７に記憶されたプログラムに基づいて回路全般を制御する。また、ＣＰＵ２５は、キーボード７のデータ入力用の各種のキー８が操作されると、そのキー操作に応じてデータが入力され、この入力されたデータに基づいて表示パネル４に情報を表示すると共にＲＡＭ２８にそのデータを記憶する。
【００２９】
次に、電源オフ制御処理について、図９に示す動作フローに基づいて説明する。
この電源オフ制御処理は、電子辞書を開いて使用している状態、つまり電子辞書がオン状態（検索表示処理実行中）で割込み処理を行う。この処理では、まず、キーボード７の電源キー８ａが押されたかを判断し（ステップＳ１）、電源キー８ａが押されると、第１、第２ケース１、２が開いていても電子辞書を使用しないと判断し、表示パネル４の表示状態、キーボード７の操作状態をＲＡＭ２８に保存し（ステップＳ２）、電源回路２６を電源オフ状態（低電圧モード）にし（ステップＳ３）、ＣＰＵ２５を電源オフ状態（スタンバイモード）にし（ステップＳ４）、この割込み処理を終了してメインフローに戻る。
【００３０】
また、ステップＳ１で電源キー８ａが押されていなければ、第１、第２ケース１、２が閉じられて回転式スイッチ１４がオン状態であるかを判断し（ステップＳ５）、回転式スイッチ１４がオン状態でなければ、第１、第２ケース１、２が開いた状態であるため電子辞書が使用中であると判断し、この処理を終了してメインフローに戻る。また、このステップＳ５で、回転式スイッチ１４がオン状態であれば、第１、第２ケース１、２が閉じられて電子辞書を使用しないと判断し、ステップＳ２に進んで表示パネル４の表示状態、キーボード７の操作状態をＲＡＭ２８に保存し、ステップＳ３に進んで電源回路２６を電源オフ状態（低電圧モード）にし、ステップＳ４に進んでＣＰＵ２５を電源オフ状態（スタンバイモード）にし、この割込み処理を終了してメインフローに戻る。
【００３１】
次に、電源オン制御処理について、図１０に示す動作フローに基づいて説明する。
この電源オン制御処理は、電子辞書が閉じられて使用されていない状態、つまり電子辞書がオフ状態（電源が低電圧モードでＣＰＵがスタンバイモードのとき）で割込み処理を行う。この処理では、まず、第１、第２ケース１、２が開いているかを判断する。すなわち、回転式スイッチ１４がオフ状態であるか否かを判断し（ステップＳ１１）、回転式スイッチ１４がオフ状態でなければ、第１、第２ケース１、２が閉じた状態であるため、電子辞書を使用しないと判断し、この処理を終了してメインフローに戻る。
【００３２】
また、ステップＳ１１で回転式スイッチ１４がオフ状態であると、第１、第２ケース１、２が開いているので、電子辞書を使用すると判断する。この状態で、キーボード７の電源キー８ａが押されたか否かを判断し（ステップＳ１２）、電源キー８ａが押されていなければ、第１、第２ケース１、２が開いていても、電子辞書を使用しないと判断し、この処理を終了してメインフローに戻る。
【００３３】
また、このステップＳ１２で電源キー８ａが押されると、電子辞書を使用すると判断し、電源回路２６を電源オン状態（通常の電圧モード）にし（ステップＳ１３）、ＣＰＵ２５が電源オン状態（検索表示処理実行中）にし（ステップＳ１４）、表示パネル４の表示状態およびキーボード７の操作状態をＲＡＭ２８から読み出して動作制御データにセットする（ステップＳ１５）。これにより、電子辞書が使用可能な状態になり、この割込み処理を終了してメインフローに戻る。
【００３４】
このように、この電子辞書によれば、第１ケース１と第２ケース２とを回動可能に連結するヒンジ部３の内部に、第１、第２ケース１、２が所定角度以上に開いたときにスイッチ信号を出力する回転式スイッチ１４を設けたので、第１、第２ケース１、２の開閉動作に連動して電源をオン・オフすることができると共に、第１、第２ケース１、２を開いた状態でも、また閉じた状態でも、回転式スイッチ１４が外部に露出しないようにすることができる。
【００３５】
このため、この電子辞書では、回転式スイッチ１４を誤って操作する恐れがないばかりか、回転式スイッチ１４が第１、第２ケース１、２内に占める設置スペースがほとんどないので、第１、第２ケース１、２内における省スペース化を図ることができると共に、第１、第２ケース１、２内にそれぞれ組み込まれる電子部品の設置スペースが回転式スイッチ１４によって制約を受けることもないので、第１、第２ケース１、２内における実装密度を高めることができる。
【００３６】
この場合、ヒンジ部３の内部には、第１、第２ケース１、２を任意の角度に開いた状態で保持するチルト機構１３が設けられ、このチルト機構１３に回転式スイッチ１４を設けているので、第１、第２ケース１、２を開閉する際、チルト機構１３によって第１、第２ケース１、２を任意の角度に開いた状態で保持することができ、これにより使い勝手の良いものを得ることができると共に、ヒンジ部３内にチルト機構１３を組み込むときに、回転式スイッチ１４をも同時に組み込むことができ、これにより組み立て作業性の良いものを得ることができる。
【００３７】
すなわち、この回転式スイッチ１４は、第２ケース２の第２ヒンジ筒部１１と共に回転する回転体１７と、第１、第２ケースが所定角度以上に開いたときに回転体１７の回転角度によってスイッチ信号を出力するスイッチ接点部１８とを有し、回転体１７が第２ヒンジ筒部１１内に固定されたチルト機構１３のチルト軸部材１６に取り付けられ、スイッチ接点部１８が、回転体１７の側面に設けられた可動接点部１９と、第１ヒンジ筒部１０内に固定されたチルト機構１３のチルト筒部材１５の側端面に設けられた一対の固定接点部２０とからなる構成になっている。
【００３８】
このため、この回転式スイッチ１４では、可動接点部１９が設けられた回転体１７をチルト軸部材１６に取り付けて可動接点部１９にチルト筒部材１５の固定接点部２０を接触可能な状態に配置するだけで、簡単にチルト機構１３に組み付けることができる。これにより、この電子辞書によれば、回転式スイッチ１４の構造が簡単で、部品点数も少なく、組み立て作業およびスイッチ接点部１８の接続作業も容易にできるので、生産性が良く、低価格なものを得ることができる。
【００３９】
また、この電子辞書では、第１、第２ケース１、２を閉じたときに回転式スイッチ１４から出力されたスイッチ信号に基づいてＣＰＵ２５が電源をオフ制御し、第１、第２ケース１、２を所定角度以上に開いたときに回転式スイッチ１４から出力されたスイッチ信号に基づいてＣＰＵ２５が電源をオン制御するので、第１、第２ケース１、２を所定角度以上に開くと、ＣＰＵ２５によって電源回路２６を電源オン状態にすることができ、また第１、第２ケース１、２が閉じると、ＣＰＵ２５によって使用時のデータをＲＡＭ２８に保存した後に電源回路２６を電源オン状態（スタンバイモード）にすることができ、これにより電源の供給を断つときにデータが破壊されないようにすることができる。
【００４０】
なお、実施形態１では、ヒンジ部３内にチルト機構１３を設け、このチルト機構１３に回転式スイッチ１４を設けた場合について述べたが、必ずしもチルト機構１３に回転式スイッチ１４を設ける必要はなく、直接、ヒンジ部３内に回転式スイッチ１４を設けた構成でも良い。この場合には、第１ケース１に設けられた第１ヒンジ筒部１０の内部に回転体１７を固定し、この回転体１７の側面に可動接点部１９を設けると共に、第２ケース２に設けられた第２ヒンジ筒部１１の端面に一対の固定接点部２０を設け、この一対の固定接点部２０に回転体１７の可動接点部１９を接触移動可能に配置すれば良い。このように構成しても、実施形態１とほぼ同様の作用効果がある。
【００４１】
（実施形態２）
次に、図１１〜図１３を参照して、この発明の電子機器を電子辞書に適用した実施形態２について説明する。なお、図１〜図１０に示された実施形態１と同一部分には同一符号を付して説明する。
この電子辞書は、第１ケース１と第２ケース２とを回動可能に連結するヒンジ部３の内部に、押圧式スイッチ３０を設けた構成で、これ以外は実施形態１とほぼ同じ構成になっている。
【００４２】
この場合、ヒンジ部３の両側に位置する第１ヒンジ筒部１０のうち、一方（図１１では右側）の第１ヒンジ筒部１０とこれに隣接する第２ヒンジ筒部１１との各内部には、図１１に示すように、第１、第２ケース１、２を任意の角度に開いた状態で保持するためのチルト機構１３が設けられている。また、ヒンジ部３における他方（図１１では左側）の第１ヒンジ筒部１０とこれに隣接する第２ヒンジ筒部１１との各内部には、図１１に示すように、第１ケース１内の表示用の回路基板５と第２ケース２内のキーボード用の回路基板９とを電気的に接続するためのフレキシブルな配線基板１２（一部図示せず）が設けられていると共に、押圧式スイッチ３０が設けられている。
【００４３】
この押圧式スイッチ３０は、図１２および図１３に示すように、ヒンジ部３の第１ヒンジ筒部１０に設けられた突起部３１と、第１、第２ケース１、２の開閉動作に応じて回転移動する突起部３１の押圧操作によってスイッチ信号を出力するスイッチ接点部３２とを備えた構成になっている。この場合、突起部３１は、第１ヒンジ筒部１０の内側端面から突出して設けられて第２ヒンジ筒部１１内に挿入する小径筒部１０ａの外周面における所定個所に設けられ、図１３に示すように、第１、第２ケース１、２を閉じた状態のときにスイッチ接点部３２に対応し、図１２に示すように、第１、第２ケース１、２が開いたときにスイッチ接点部３２から離れるように構成されている。
【００４４】
スイッチ接点部３２は、図１１〜図１３に示すように、第２ケース２内のキーボード用の回路基板９に設けられた固定接点板３３と可動接点板３４とを有している。固定接点板３３は、その基端部が回路基板９に固定され、その先端部が回路基板９から第２ヒンジ筒部１１内に延出され、この延出され先端部分が第２ヒンジ筒部１１内に位置する第１ヒンジ筒部１０の小径筒部１０ａに設けられた突起部３１の回転移動軌跡の下側に位置した状態で、第２ヒンジ筒部１１内に配置されている。可動接点板３４は、その基端部が回路基板９に固定され、その先端部が回路基板９から第２ヒンジ筒部１１内に固定接点板３３とほぼ平行に延出され、この延出された先端部分が第１ヒンジ筒部１０側に向けて折り曲げられて突起部３１の回転移動軌跡の下側に位置すると共に、固定接点板３３の先端部の上方に離れた状態で、第２ヒンジ筒部１１内に配置されている。
【００４５】
これにより、押圧式スイッチ３０は、図１２に示すように、第１、第２ケース１、２が所定角度以上に開くと、これに伴って第１ヒンジ筒部１０の突起部３１が回転移動し、スイッチ接点部３２の可動接点板３４の先端部から相対的に離れるので、可動接点板３４が弾性復帰して可動接点板３４の先端部が固定接点板３３の先端部から離れ、これによりオフ状態のスイッチ信号を出力する。また、この押圧式スイッチ３０は、図１３に示すように、第１、第２ケース１、２が閉じて重なり合うと、第１ヒンジ筒部１０の突起部３１が回転移動して可動接点板３４の先端部を押し下げるので、可動接点板３４の先端部が撓んで固定接点板３３の先端部に接触し、これによりオン状態のスイッチ信号を出力する。
【００４６】
このように、この電子辞書によれば、第１ケース１と第２ケース２とを回動可能に連結するヒンジ部３の内部に、第１、第２ケース１、２が所定角度以上に開いたときにスイッチ信号を出力する押圧式スイッチ３０を設けたので、実施形態１と同様、第１、第２ケース１、２の開閉動作に連動して電源をオン・オフすることができると共に、第１、第２ケース１、２を開いた状態でも、また閉じた状態でも、押圧式スイッチ３０が外部に露出しないようにすることができる。
【００４７】
このため、この電子辞書においても、押圧式スイッチ３０を誤って操作する恐れがないばかりか、押圧式スイッチ３０が第１、第２ケース１、２内に占める設置スペースがほとんどないので、第１、第２ケース１、２内における省スペース化を図ることができると共に、第１、第２ケース１、２内にそれぞれ組み込まれる電子部品の設置スペースが押圧式スイッチ３０によって制約を受けることもないので、第１、第２ケース１、２内における実装密度を高めることができる。
【００４８】
特に、押圧式スイッチ３０は、ヒンジ部３の第１ヒンジ筒部１０に設けられた突起部３１と、第１、第２ケース１、２の開閉動作に応じて回転移動する突起部３１の押圧操作によってスイッチ信号を出力するスイッチ接点部３２とを備え、スイッチ接点部３２が、第２ケース２内の回路基板９に取り付けられて第２ヒンジ筒部１１内に延出された固定接点板３３と可動接点板３４とを有する構成であるか、実施形態１と同様、構造が簡単で、部品点数が少なく、組み立て作業も容易にできるので、生産性が良く、低価格なものを得ることができる。
【００４９】
この場合、第１、第２ケース１、２が所定角度に開いたとき、および第１、第２ケース１、２が閉じて互いに重なり合ったときに、第１ヒンジ筒部１０の突起部３１がそれぞれ当接する当接部（図示せず）を第２ヒンジ筒部１１の２か所に設ければ、第１、第２ケース１、２の開閉範囲を規制することができ、これにより突起部３１にストッパ機能をも持たせることができると共に、ストッパ機能を備えていても、部品点数が増加せず、組み立て作業が煩雑にならないため、製品の低価格化をも図ることができる。
【００５０】
なお、上記実施形態１または２では、電子機器として、電子辞書に適用した場合について述べたが、必ずしも電子辞書である必要はなく、携帯電話機やＰＤＡ（パーソナル・デジタル・アシスタント）などの電子機器にも適用することができる。
【図面の簡単な説明】
【００５１】
【図１】この発明を適用した電子辞書を開いて使用する状態の斜視図である。（実施形態１）
【図２】図１の側面図である。
【図３】図１の第１、第２ケースの内部を示した要部の平面図である。
【図４】図３のチルト機構を拡大した平面図である。
【図５】図４の側面図である。
【図６】図４のＡ−Ａ矢視における断面図である。
【図７】図４の回転式スイッチを示し、（ａ）はその拡大図、（ｂ）は第１、第２ケースを閉じた状態における可動接点部と固定接点部との対応状態を示した図、（ｃ）は第１、第２ケースを所定角度以上に開いた状態における可動接点部と固定接点部との対応状態を示した図である。
【図８】図１の電子辞書の回路構成を示したブロック図である。
【図９】図８の電子辞書における電源オフ制御処理の動作フローを示した図である。
【図１０】図８の電子辞書における電源オン制御処理の動作フローを示した図である。
【図１１】この発明を適用した電子辞書における第１、第２ケースの内部を示した要部の平面図である。（実施形態２）
【図１２】図１１の電子辞書において第１、第２ケースを所定角度以上に開いた状態における押圧式スイッチの状態を示した要部の拡大断面図である。
【図１３】図１１の電子辞書において第１、第２ケースを閉じた状態における押圧式スイッチの状態を示した要部の拡大断面図である。
【符号の説明】
【００５２】
１  第１ケース
２  第２ケース
３  ヒンジ部
４  表示パネル
５  表示用の回路基板
７  キーボード
８  キー
８ａ  電源キー
９  キーボード用の回路基板
１０  第１ヒンジ筒部
１１  第２ヒンジ筒部
１３  チルト機構
１４  回転式スイッチ
１５  チルト筒部材
１６  チルト軸部材
１７  回転体
１８  スイッチ接点部
１９  可動接点部
２０  固定接点部
２１  接続線
２５  ＣＰＵ
２６  電源回路
２７  ＲＯＭ
２８  ＲＡＭ
３０  押圧式スイッチ
３１  突起部
３２  スイッチ接点部
３３  固定接点板
３４  可動接点板
【図１】
2006099366.tif 000003
【図２】
2006099366.tif 000004
【図３】
2006099366.tif 000005
【図４】
2006099366.tif 000006
【図５】
2006099366.tif 000007
【図６】
2006099366.tif 000008
【図７】
2006099366.tif 000009
【図８】
2006099366.tif 000010
【図９】
2006099366.tif 000011
【図１０】
2006099366.tif 000012
【図１１】
2006099366.tif 000013
【図１２】
2006099366.tif 000014
【図１３】
2006099366.tif 000015